(57)【要約】【課題】空気中を漂う放射性物質によって汚染されたエアフィルタが焼却できない部材を含んでいた場合、廃棄処理の際、汚染された該エアフィルタを少なくとも焼却可能な部材とそうでない部材に分別する必要があり、分別時の人体への危険性や、また、汚染されたフィルタの保管スペースの確保など解決すべき課題を持っている。【解決手段】    本発明では、空気中を漂う放射性物質によって汚染されたエアフィルタを洗浄液によって洗い流し、洗い流した放射性物質を特定のろ過体によって捕捉する。また、汚染されたエアフィルタを洗浄して放射性物質を捕捉するために必要な機器類一式を移動可能な車両に搭載することにより、汚染されたエアフィルタを現場ごとに洗浄でき、該エアフィルタを現場にて保管、あるいは移動させる必要がなくなる。【選択図】なし【特許請求の範囲】
【請求項１】
空気中を漂う放射性物質によって汚染されたエアフィルタのろ過面を洗浄液で洗い流し、洗い流した放射性物質を水処理用フィルタ、カートリッジ式フィルタで捕捉するための機器一式を移動可能な車両に搭載したことを特徴とする除染システム。
【発明の詳細な説明】
【技術分野】
【０００１】
本発明は、空気中を漂う放射性物質によって汚染されたエアフィルタの除染方法、並びに除染した放射性物質の濃縮を一連の工程で行うことを目的とした、移動可能なエアフィルタ除染装置に関するものである。
【背景技術】
【０００２】
一般的に、外気ろ過を行うエアフィルタは、寿命をむかえると構成部材ごとに分解され、焼却、埋立てなどの廃棄処理、あるいは部材ごとに再利用される。
【０００３】
しかしながら、空気中を漂う放射性物質によって汚染されたエアフィルタの廃棄処理を行う場合、少なくとも該エアフィルタを構成している部材の焼却可能な部分と焼却不可な部分を分別処理する必要があり、分別時の人体への影響や放射性物質による汚染の拡大が懸念される。
【０００４】
特許文献１では、粉末状の放射性物質が付着した被汚染物に対して、超臨界液体状の二酸化炭素を接触させることにより放射性物質と被汚染物を分離する除染システムが提案されている。
【０００５】
特許文献1に記載された技術を用いることにより、エアフィルタの構成部材の材質に関わらず、放射性物質によって汚染されたエアフィルタを除染し、部材ごとに分解処理を行わずにエアフィルタの廃棄処理が可能となる。
【０００６】
特許文献２では、被汚染体を除染するために、自走可能な洗浄液処理車両に水タンクや洗浄液製造装置、汚染微粒子を除去するフィルタなどを搭載した移動式除染装置に関する技術が記載されている。
【０００７】
特許文献２に記載された除染装置を用いることで、汚染されたエアフィルタを特定の除染場所に集めることなく、該エアフィルタが設置されていた現場ごとにエアフィルタの除染処理を行うことが可能となる。
【先行技術文献】
【特許文献】
【０００８】
【特許文献１】特開２００２−２０７０９７
【特許文献２】特開２００８−２６０２３
【発明の概要】
【発明が解決しようとする課題】
【０００９】
上記、特許文献１に記載された技術を用いて、放射性物質が付着したエアフィルタの除染を行った場合、被汚染物からの放射性物質の分離、並びに放射性物質の回収を効果的に行えるものの、一定条件下の密閉された装置内で除染を行なう必要があり、大量の被汚染物を効率的に除染する上で課題が生じうる。
【００１０】
また、特許文献２に記載された除染システムと移動式除染装置を用いることで安全で効率的に除染処理を行うことができるものの、除染対象を除染後、放射性物質のろ過工程によって複数の汚染されたフィルタが発生し、放射性物質をより少ないスペースに濃縮させる上で課題が生じうる。
【００１１】
本発明では、空気中を漂う放射性物質によって汚染されたエアフィルタを構成部材ごとに分解することなく効率的に除染処理を行うとともに、除染した放射性物質を特定のろ過物に濃縮させて最終的に被汚染物をよりコンパクトにまとめることにより、処理すべき放射性廃棄物の容積をより少なくするための除染システムを提案する。
【課題を解決するための手段】
【００１２】
上記課題の解決手段として、洗浄液によって該エアフィルタのろ材面に付着した放射性物質を洗い流し、洗い流された放射性物質を、該エアフィルタよりも体積の小さい別のろ過体に捕捉させて最終的に該ろ過体に放射性物質を濃縮させる。この一連の工程に必要な機器類を移動可能な車両に搭載させ、空気中を漂う放射性物質によって汚染された空調用エアフィルタが設置されていた現場ごとに、該エアフィルタの除染処理を行えるようにする。
【００１３】
空気中を漂う放射性物質によって汚染されたエアフィルタを除染するにあたり、まず、該エアフィルタを洗浄槽に装入し、洗浄槽内を密閉後、洗浄液を噴射して該エアフィルタのろ材面を洗浄する。該ろ材面に向けて洗浄ノズルなどを用いて洗浄液を噴射し、該ろ材面に付着した粉塵と一緒に放射性物質を洗い流す。
【００１４】
本発明が提案する該解決手段は、除染後のエアフィルタの再利用は想定しておらず、空気中を漂う放射性物質によって汚染されたエアフィルタの除染を行い、一般的な外気ろ過用のエアフィルタと同じように廃棄処理を行うことにある。
【００１５】
そのため、空気中を漂う放射性物質によって汚染されたエアフィルタの洗浄工程は、該エアフィルタのろ材面に付着した粉塵と放射性物質をろ材面から分離させることを目的としており、洗浄液の種類や水圧は特に限定されるものではなく、該エアフィルタを洗浄するための洗浄槽に関しても、水漏れが発生しない密閉性が保たれていれば、材質や構造に関して特に限定されるものではない。さらに、該エアフィルタの洗浄方法は洗浄ノズルを使用した手法に限らず、例えば、汚染されたフィルタを浸水させ、ろ材面から粉塵と放射性物質を分離させてもよい。さらに、除染対象のエアフィルタの汚れが重大である場合、ろ材表面に超臨界の二酸化炭素や超音波技術を用いて洗浄処理を行う手法をとってもよい。
【００１６】
該エアフィルアのろ材面から洗い流された粉塵と放射性物質は、洗浄槽に接続された排水管を通り、水処理用プレフィルタが設置された濾過層へ流れ着く。
【００１７】
水処理用プレフィルタが設置された濾過層では、主として、汚染されたエアフィルタに付着していた粉塵を捕集することとなる。該プレフィルタは粒子径が5μｍ以上の粉塵の除去を目的として設置されている。該プレフィルタによって捕集されなかった粒子径の小さい粉塵、並びに放射性物質は、次に水処理用のカートリッジ式フィルタが設置された濾過層に流れ込むこととなる。
【００１８】
該濾過層に設置された水処理用プレフィルタは疎水性をもった材質のものであれば特に限定されることはなく、例えばガラス繊維製やポリエチレン製、ポリエステル製、ポリテトラフルオロエチレン製など、また、例えばフッ素含有物や脂肪酸アミド化合物、シリコン樹脂系化合物などの疎水性試薬を含有したフィルタろ材を使用する。
【００１９】
さらに、該プレフィルタが疎水性を持ち、無孔性繊維状の繊維であれば放射性物質が該プレフィルタの繊維上に捕捉されることなく、洗浄液中に溶け込んだ放射性物質は水処理用のカートリッジ式フィルタが設置された濾過層に集中的に流れ込む。
【００２０】
水処理用プレフィルタが設置された濾過層を通り抜けた洗浄液は、粒子径の小さい粉塵と放射性物質を含んだ状態で、水処理用のカートリッジ式フィルタが設置された濾過層へ流れ込む。該カートリッジ式フィルタは、放射性物質を選択的に捕捉することが可能な材料が用いられたろ材繊維を使用する。捕捉する放射性物質の種類に応じて、例えば、重合反応によってフィルタ基材が活性化してイオン交換が可能となった繊維ろ材、また、セシウムやストロンチウムなど特定の物質吸着するゼオライトを含有したフィルタろ材、さらには、放射性セシウムを選択的に結合させるプルシアンブルーを含有したフィルタろ材などを用いる。
【００２１】
また、該カートリッジ式フィルタは、粒子径0.3μｍの粉塵を99%以上捕集できるものを用いて、水処理用プレフィルタが設置された濾過層を通り抜けた微小粒子、並びに放射性物質を捕捉する。
【００２２】
以上の除染工程を経ることによって、エアフィルタに粉塵とともに付着していた放射性物質は、該プレフィルタとカートリッジ式フィルタに限定的に捕集されることとなる。
【００２３】
上記放射性物質が濃縮されることとなるろ過体は、移動可能な車両上で交換可能なものを用いる。該ろ過体の圧力損失、粉塵の捕集容量が一定以上に達した際、新しいフィルタに交換し、交換後のフィルタは別途厳重に保管する。
【００２４】
また、本発明における除染工程で使用された洗浄液は、カートリッジ式フィルタ層を通過後、ポンプによって吸い上げられ、貯水タンクへ流れ込み、再び放射性物質によって汚染された空調用エアフィルタの洗浄液として循環利用される。また、洗浄液の汚れ具合により、洗浄液の排水も可能である。
【００２５】
空気中を漂う放射性物質によって汚染されたエアフィルタの除染工程に使用する、少なくとも洗浄槽、プレフィルタ、カートリッジ式フィルタ、交換用フィルタ、給水ポンプ、貯水タンクの機器類一式を移動可能な車両に搭載し、汚染されたエアフィルタが設置されていた現場にて該エアフィルタの除染処理を行う。
【発明の効果】
【００２６】
本発明の除染システムを活用することにより、空気中を漂う放射性物質によって汚染されたエアフィルタを構成部材ごとに分解して処理する必要がなくなり、一般的な外気ろ過用のエアフィルタと同じように廃棄処理を行うことが可能となる。
【００２７】
さらに、該エアフィルタに付着した放射性物質を特定のろ過体に凝縮させることによって、本来、放射性廃棄物として処理すべきであったものの容積を大幅に削減することが可能となる。
【００２８】
加えて、本除染システムに必要な機器類を移動可能な車両に搭載することにより、空気中を漂う放射性物質によって汚染されたエアフィルタを、設置現場から移動させることなく、安全で効率的な除染処理を行うことが可能となる。
【発明を実施するための形態】
【実施例１】
【００２９】
本発明における実施例として、空気中を漂う放射性セシウムによって汚染されたエアフィルタの除染方法を記載する。
【００３０】
放射性セシウムが付着したエアフィルタの除染を行うために、該エアフィルタを洗浄槽に入れ、汚染されたろ材面に対して洗浄液を噴射し、該ろ材面に付着した粉塵や放射性セシウムを洗い流す。
【００３１】
洗い流された粉塵と放射性セシウムのうち、粒子径の大きい粉塵のみが水処理用プレフィルタに捕集され、洗浄液に溶け込んだ粒子径の小さい粉塵や放射性セシウムはカートリッジ式フィルタ層に流れ込む。
【００３２】
該カートリッジ式フィルタ層は、セシウムを選択的に吸着する特性をもったプルシアンブルーを含有しているため、洗浄液に溶け込んだ放射性セシウムは、粒子径の小さい微小粉塵とともに該カートリッジ式フィルタ層に捕集されることとなる。
【産業上の利用可能性】
【００３３】
空気中を漂う放射性物質によって汚染されたエアフィルタを、設置されていた現場ごとに除染処理を行えることで、該エアフィルタの保管スペースを確保する必要がなくなるとともに、除染処理後に、一般的な外気ろ過用のエアフィルタと同様の廃棄処理が可能となる。また、放射性物質を特定のフィルタに濃縮させることによって、処理すべき放射性廃棄物の容積を大幅に削減できるという観点から本発明が及ぼす産業上の利用可能性は高い。